(57)【要約】【課題】１枚のシートによって高さ方向のサイズが異なる足場に対応することができる足場シートを提供する。【解決手段】足場シート１は、第１の足場の高さに対応する第１の高さの整数倍の高さを有し、各辺の近傍に係止孔２１を備える矩形の本体部１１と、本体部１１の上端部からの高さが第１の高さより低い第２の足場の高さに対応する第２の高さの整数倍の位置に下端が位置するように本体部１１の下端部に設置される高さ補正係止部１３と、本体部１１の下端部に設置され、接続部分を被覆する高さ方向被覆部１４と、を備える。【選択図】図１
0003214570.tif 000002
【実用新案登録請求の範囲】
【請求項１】
第１の足場の高さに対応する第１の高さの整数倍の高さを有し、各辺の近傍に係止孔を備える矩形の本体部と、
前記係止孔を有し、前記本体部の上端部からの高さが前記第１の高さより低い第２の足場の高さに対応する第２の高さの整数倍の位置に下端が位置するように前記本体部の下端部に設置される高さ補正係止部と、
前記本体部の下端部に設置され、接続部分を被覆する高さ方向被覆部と、
を備える足場シート。
【請求項２】
前記係止孔を有し、前記本体部の上端部からの高さが前記第１の高さより高い第３の足場の高さに対応する第３の高さの整数倍の位置に下端が位置するように前記本体部の下端部に設置される延長係止部をさらに備え、
前記高さ方向被覆部は、
前記本体部の下端部に設置され、前記延長係止部と２枚目の前記足場シートとの接続部分を被覆する請求項１に記載の足場シート。
【請求項３】
前記本体部は、
幅が第４の足場の幅に対応する第１の幅の整数倍を有し、
前記本体部の縦方向に延びる一辺から幅方向の外側端部までの幅が前記第１の幅より狭い第５の足場の幅に対応する第２の幅の整数倍になるように前記本体部の前記一辺の対辺に設置され、前記係止孔を有する幅補正係止部と、
前記対辺に設置され、幅方向に隣接する前記足場シートの接続部分を被覆する幅方向被覆部と、
をさらに備える請求項１に記載の足場シート。
【考案の詳細な説明】
【技術分野】
【０００１】
本考案は、足場シートに関する。
【背景技術】
【０００２】
工事現場の仮設足場には様々な大きさのものがある。具体的には、幅方向に関して１８２９ｍｍのインチサイズのものと、１８００ｍｍのメーターサイズのものとがある。
【０００３】
また、高さ方向に関しては１７００ｍｍのもの、１８００ｍｍのもの、１９００ｍｍのものなどがある。
【０００４】
この点に関し、幅方向のサイズが異なる足場に対応するように、シートの幅方向の端部に補助係止部を設ける技術が提案されている（例えば、特許文献１。）。
【０００５】
しかし、この技術によっては、高さ方向のサイズが異なる足場には対応することができなかった。
【先行技術文献】
【特許文献】
【０００６】
【特許文献１】実用新案登録第３１６７７３５号公報
【考案の概要】
【考案が解決しようとする課題】
【０００７】
本考案が解決しようとする課題は、１枚のシートによって高さ方向のサイズが異なる足場に対応することができる足場シートを提供することである。
【課題を解決するための手段】
【０００８】
本考案は、第１の足場の高さに対応する第１の高さの整数倍の高さを有し、各辺の近傍に係止孔を備える矩形の本体部と、前記係止孔を有し、前記本体部の上端部からの高さが前記第１の高さより低い第２の足場の高さに対応する第２の高さの整数倍の位置に下端が位置するように前記本体部の下端部に設置される高さ補正係止部と、前記本体部の下端部に設置され、接続部分を被覆する高さ方向被覆部と、を備える足場シートを提供する。
【考案の効果】
【０００９】
本考案によれば、１枚のシートによって高さ方向のサイズが異なる足場に対応することができる足場シートを提供することができる。
【図面の簡単な説明】
【００１０】
【図１】第１の実施形態に係る足場シート１の背面図。
【図２】図１における足場シートのＡＡ線断面図。
【図３】第２の高さの足場に使用する場合の本体部の下端部付近の断面図。
【図４】第１の高さの足場に使用する場合の本体部の下端部付近の断面図。
【図５】第２の実施形態に係る足場シートの下端部付近の断面図。
【図６】第３の実施形態の足場シートの背面図。
【図７】図６における足場シートのＢＢ線断面図。
【考案を実施するための形態】
【００１１】
以下、本考案の一実施形態に係る足場シート１を、図面を参照しながら説明する。
【００１２】
（第１の実施形態）
本実施形態の足場シート１は、第１の高さを有する第１の足場と、第１の高さより低い第２の高さを有する第２の足場との両方に対応することができる。
【００１３】
図１は、本実施形態に係る足場シート１の背面図、図２は、図１における足場シート１のＡＡ線断面図である。図１及び図２に示すように、足場シート１は、本体部１１と、高さ補正係止部１３と、高さ方向被覆部１４と、を備える。
【００１４】
本体部１１は背面視がほぼ矩形のシート状をなす。本体部１１は背面視における各辺の近傍にシート同士を係止する係止具２２を挿通する係止孔２１（いわゆる、ハトメ。）を一定間隔ごとに複数有する。本体部１１は上端部に一定間隔ごとに面ファスナー１７を表側に有する。
【００１５】
本体部１１の高さは、第１の高さの整数倍の高さを有する。本体部１１の幅はインチサイズ又はメーターサイズに対応する長さを有する。
【００１６】
本体部１１は防音性能を有する合成樹脂によって形成されることが、工事の音を遮断する点において望ましい。
【００１７】
高さ補正係止部１３は本体部１１の下端部１２に、本体部１１の下端辺に沿って設けられる。高さ補正係止部１３は、上端部が本体部１１の下端辺に沿って本体部１１の裏側に、縫い目１５において縫い合わされる。高さ補正係止部１３は下端部に係止孔２１を一定間隔ごとに複数有する。
【００１８】
高さ補正係止部１３は、本体部１１に縫い合わされたときに係止孔２１が本体部１１の下端部の係止孔２１より上方に位置し、かつ、高さ補正係止部１３の係止孔２１に係止具２２を装着するのに十分な高さ方向の長さを有する。
【００１９】
高さ補正係止部１３は、本体部１１に縫い合わされたときに、本体部１１の上端部から高さ補正係止部１３の下端までの高さが、第２の高さの整数倍になるように本体部１１の下端辺に設けられる。
【００２０】
高さ方向被覆部１４は本体部１１の下端部１２に、本体部１１の下端辺に沿って設けられる。高さ方向被覆部１４は、上端部が本体部１１の下端辺に沿って本体部１１の表側に、高さ補正係止部１３とともに、縫い目１５において縫い合わされる。高さ方向被覆部１４は下端部の裏側に面ファスナー１７と貼り合わされる面ファスナー１６を一定間隔ごとに複数有する。
【００２１】
高さ方向被覆部１４は、本体部１１に縫い合わされたときに面ファスナーが本体部１１の下端辺より下方に位置し、面ファスナー１７が面ファスナー１６に張り合わされる長さを有する。
【００２２】
図３は、第２の高さの足場に使用する場合の本体部１１の下端部付近の断面図である。図３においては係止具２２を省略してある。図３に示すように、足場シート１を第２の高さの足場に用いる場合には、高さ補正係止部１３の下端部に２枚目の足場シート４１の上端部を合わせ、足場シート１の高さ補正係止部１３の係止孔２１と２枚目の足場シート４１の上端部の係止孔２１に係止具２２を挿通して両者を係止する。
【００２３】
足場シート１の高さ方向被覆部１４は、本体部１１の下端部とともに足場シート１の高さ補正係止部１３と２枚目の足場シート４１との接続部分を被覆し、面ファスナー１６が２枚目の足場シート４１の面ファスナー１７に貼り合わされる。
【００２４】
図４は、第１の高さの足場に使用する場合の本体部１１の下端部付近の断面図である。図４においては係止具２２を省略してある。図４に示すように、足場シート１を第１の高さの足場に用いる場合には、本体部１１の下端部に２枚目の足場シート４１の上端部を合わせ、足場シート１の本体部１１の下端の係止孔２１と２枚目の足場シート４１の上端部の係止孔に係止具２２を挿通して両者を係止する。
【００２５】
足場シート１の高さ方向被覆部１４は、本体部１１と２枚目の足場シート４１との接続部分を被覆し、面ファスナー１６が２枚目の足場シート４１の面ファスナー１７に貼り合わされる。
【００２６】
なお、上述の実施形態においては足場シート１が防音シートである場合について説明したが、防音性能を有する合成樹脂の代わりにメッシュ材を用いることにより、通気性のある目隠しシートとしても使用できる。
【００２７】
以上述べたように、本実施形態の足場シート１は、第１の足場の高さに対応する第１の高さの整数倍の高さを有し、各辺の近傍に係止孔２１を備える矩形の本体部１１と、係止孔を有し、本体部１１の上端部からの高さが第１の高さより低い第２の足場の高さに対応する第２の高さの整数倍の位置に下端が位置するように本体部１１の下端部に設置される高さ補正係止部１３と、本体部１１の下端部に設置され、接続部分を被覆する高さ方向被覆部１４と、を備える。
【００２８】
従って、本考案によれば、１枚のシートによって高さ方向のサイズが異なる足場に対応することができる足場シート１を提供することができるという効果がある。
【００２９】
（第２の実施形態）
本実施形態の足場シート１は、第１の高さを有する第１の足場と、第１の高さより低い第２の高さを有する第２の足場と、第１の高さより高い第３の高さを有する第３の足場のいずれにも対応することができる。
【００３０】
本実施形態の足場シート１の構成は、第１の実施形態の足場シート１に延長係止部１８を加え、高さ方向被覆部１４の長さを下方に延長した点において第１の実施形態の足場シート１と異なるほかは、第１の実施形態の足場シートの構成と同様である。従って、相違する点についてのみ説明する。
【００３１】
図５は、本実施形態に係る足場シートの下端部１２付近の断面図である。図５に示すように、本実施形態の足場シート１は、本体部１１の下端辺に沿って、本体部１１と高さ方向被覆部１４との間に挟まれるように、延長係止部１８を有する。
【００３２】
延長係止部１８は縫い目１５において、高さ補正係止部１３、本体部１１の下端部１２、及び高さ方向被覆部１４とともに縫い合わされる。延長係止部１８は下端辺に係止孔２１を一定間隔ごとに複数有する。
【００３３】
延長係止部１８は、本体部１１に縫い合わされたときに係止孔２１が本体部１１の下端部の係止孔２１より下方に位置し、かつ、延長係止部１８の係止孔２１に係止具２２を装着するのに十分な高さ方向の長さを有する。
【００３４】
延長係止部１８は、本体部１１に縫い合わされたときに、本体部１１の上端部から延長係止部１８の下端までの高さが、第３の高さの整数倍になるように本体部１１の下端辺に設けられる。
【００３５】
高さ方向被覆部１４は、本体部１１に縫い合わされたときに面ファスナーが延長係止部１８の下端辺より下方に位置し、面ファスナー１７が面ファスナー１６に張り合わされる長さを有する。
【００３６】
足場シート１を第３の高さの足場に使用する場合、使用方法は延長係止部１８の下端部と２枚目の足場シート４１の上端部を合わせ、両者の係止孔２１に係止具２２を挿通して両者を係止する他は、第１の実施形態の足場シートの使用方法と同様である。
【００３７】
以上述べたように、本実施形態の足場シート１は、第１の実施形態の足場シート１の構成に加えて、係止孔を有し、本体部１１の上端部からの高さが第１の高さより高い第３の足場の高さに対応する第３の高さの整数倍の位置に下端が位置するように本体部１１の下端部に設置される延長係止部１８をさらに備え、高さ方向被覆部１４は、本体部１１の下端部に設置され、延長係止部１８と２枚目の足場シート４１との接続部分を被覆する。
【００３８】
従って、１枚のシートによって高さ方向のサイズが異なる複数種類の足場に対応することができる足場シートを提供することができるという効果がある。
【００３９】
（第３の実施形態）
本実施形態の足場シート１は、インチサイズ及びメーターサイズ等の複数種類の幅の足場にも対応することができる。
【００４０】
本実施形態の足場シート１の構成は、第１の実施形態の足場シート１の構成に加えて、幅補正係止部３３と、幅方向被覆部３４と、をさらに備える点において第１の実施形態の足場シート１の構成と異なる。従って、相違する点についてのみ説明する。
【００４１】
図６は本実施形態の足場シート１の背面図、図７は図６における足場シート１のＢＢ線断面図である。図６及び図７に示すように、足場シート１は、第１の実施形態の本体部１１の縦方向に延びる一辺に沿って幅補正係止部３３を備える。
【００４２】
本体部１１の幅方向左右の辺の間の幅は、例えば第４の足場であるインチサイズの足場の幅の第１の幅に対応する幅の整数倍の幅を有する。
【００４３】
幅補正係止部３３は高さ方向に沿って一定間隔ごとに係止孔２１を複数有する。幅補正係止部３３は、本体部１１に縫い合わされたときに係止孔２１が本体部１１の縫い合わされた辺の係止孔２１より内側に位置し、かつ、幅補正係止部３３の係止孔２１に係止具２２を装着するのに十分な幅方向の長さを有する。
【００４４】
幅補正係止部３３の幅方向の外側端部から、幅補正係止部３３が設けられる辺の対辺までの幅は、例えば第５の足場であるメーターサイズの足場、つまり第４の足場より幅が狭い足場の幅である第２の幅に対応する幅の整数倍の幅を有する。
【００４５】
足場シート１はさらに、幅補正係止部３３が設けられる辺に沿って幅方向被覆部３４を備える。
【００４６】
幅方向被覆部３４は、裏側に一定間隔ごとに面ファスナー１６を備える。面ファスナー１６は、隣接する足場シート１の幅方向被覆部３４が設けられる辺の対辺の表側に設けられる面ファスナー（図示せず）と貼り合わされる。
【００４７】
第１の幅の足場に足場シート１を使用する場合には、図４に示した方法に準じて隣接する足場シート１同士をつなぎ合わせる。
【００４８】
第２の幅の足場に足場シート１を使用する場合には、図３に示した方法に準じて隣接する足場シート１同氏をつなぎ合わせる。
【００４９】
以上述べたように、本実施形態の足場シート１は、第１の実施形態の足場シート１の構成に加えて、本体部１１は、幅が第４の足場の幅に対応する第１の幅の整数倍を有し、本体部１１の縦方向に延びる一辺から幅方向の外側端部までの幅が第１の幅より狭い第５の足場の幅に対応する第２の幅の整数倍になるように本体部１１の前記一辺の対辺に設置され、係止孔を有する幅補正係止部３３と、本体部１１の幅補正係止部３３が設置される辺に設置され、幅方向に隣接する足場シート１の接続部分を被覆する幅方向被覆部３４と、をさらに備える。
【００５０】
従って、本考案によれば、１枚のシートによって幅方向のサイズが異なる足場にも対応することができる足場シート１を提供することができるという効果がある。
【符号の説明】
【００５１】
１  足場シート
１１  本体部
１２  下端部
１３  高さ補正係止部
１４  高さ方向被覆部
１５  縫い目
１６  面ファスナー
１７  面ファスナー
１８  延長係止部
２１  係止孔
２２  係止具
３３  幅補正係止部
３４  幅方向被覆部
４１  ２枚目の足場シート
【図１】
0003214570.tif 000003
【図２】
0003214570.tif 000004
【図３】
0003214570.tif 000005
【図４】
0003214570.tif 000006
【図５】
0003214570.tif 000007
【図６】
0003214570.tif 000008
【図７】
0003214570.tif 000009